(57)【要約】【課題】検出対象の原稿サイズに優先順位を付け、高効率かつ省エネな原稿サイズ検出装置を提供する。  【解決手段】原稿台に複数の原稿サイズ検出センサーが原稿サイズに応じて配置され、複数の原稿サイズのうち特定サイズの原稿の検出処理から順次異なるサイズの原稿の検出処理を行うよう、前記特定の原稿サイズに対応した原稿サイズ検出センサーのみを駆動制御し、前記動作した原稿サイズ検出センサーからの信号に基づいて原稿の有無を判定し、予め記憶された原稿サイズ検出センサーのオン／オフパターンから原稿台上の原稿のサイズを判別する。最初に特定サイズの検出に必要なセンサーのみを動作させて、該センサーによる検出処理によって原稿サイズが検出できたときには検出処理を終了する。検出できないときには上記特定サイズ以外のサイズの検出に対応するセンサーを動作させ、改めて検出処理を行う。【選択図】  図７
2010268197.tif 000002
【特許請求の範囲】
【請求項１】
原稿台に複数の原稿サイズ検出センサーが原稿サイズに応じて配置され、各原稿サイズ検出センサーの検出信号に基づいて原稿台上に載置された原稿のサイズを検出する原稿サイズ検出装置において、
複数の原稿サイズのうち、特定サイズの原稿の検出処理から順次異なるサイズの原稿の検出処理を行うよう、前記特定の原稿サイズに対応した原稿サイズ検出センサーのみを駆動制御する原稿サイズ検出動作制御部と、前記動作した原稿サイズ検出センサーからの信号に基づいて原稿の有無を判定し、予め記憶された原稿サイズ検出センサーのオン／オフパターンから原稿台上に載置された原稿のサイズを判別する原稿サイズ判定部とを備えたことを特徴とする原稿サイズ検出装置。
【請求項２】
前記原稿サイズ検出動作制御部は、予め設定された優先順位に基づいて特定サイズの原稿に対応した原稿サイズ検出センサーから動作させることを特徴とする請求項１に記載の原稿サイズ検出装置。
【請求項３】
前記原稿サイズ検出動作制御部は、使用頻度の高い原稿サイズに対応した原稿サイズ検出センサーを最優先に動作させることを特徴とする請求項２に記載の原稿サイズ検出装置。
【請求項４】
前記原稿サイズ検出動作制御部は、使用頻度の高い原稿サイズに対応した原稿サイズ検出センサーを最優先に動作させる検出処理の次に、原稿サイズの大きいものに対応した原稿サイズ検出センサーから動作させることを特徴とする請求項２に記載の原稿サイズ検出装置。
【請求項５】
請求項１〜４のいずれかに記載に原稿サイズ検出装置を備えたことを特徴とする原稿読取装置。
【請求項６】
請求項５に記載の原稿読取装置を備えたことを特徴とする画像形成装置。
【発明の詳細な説明】
【技術分野】
【０００１】
本発明は、原稿読取装置における原稿サイズ検出装置に関するものである。
【背景技術】
【０００２】
この種の原稿サイズ検出装置は、特許文献１および特許文献２に示すように、画像形成装置（例：複合機）の原稿載置台上に置かれた原稿サイズを検出するために設置されている。この原稿サイズ検出装置は、原稿載置台の近くに設けられた原稿サイズ検出センサーを全て動作させ、各センサーの出力状況に基づいて原稿サイズを検出していた（具体な処理の内容については特許文献１の図４、特許文献２の図４（ａ）参照）。
【先行技術文献】
【特許文献】
【０００３】
【特許文献１】特開昭６０−０５２８４２号公報
【特許文献２】特開平１１−２４２３００号公報
【発明の概要】
【発明が解決しようとする課題】
【０００４】
上述の各特許文献１，２では、原稿サイズを検出するために、原稿サイズ検出用のセンサーを全て動作させていたが、これでは、例えば、Ａ４サイズの原稿のように、使用頻度が高い原稿サイズを検出するような環境では非効率であり、制御部を構成するＣＰＵの処理速度やメモリ容量等のリソース、および消費電力を無駄に使用していた。
【０００５】
このような課題は、従来は懸念すべき課題として当業者に意識されることは無かったが、本発明者らは画像形成装置のさらなる高機能化の実現には、ＣＰＵのリソースの利用の効率化が特に重要になってくること、および将来の複写機などの画像形成装置のユーザーの増加や昨今の環境技術の盛り上がりに鑑みると、上記課題は解決されるべき重要なものになり得ると思い至ったものである。
【０００６】
なお、特許文献１には、原稿検出のためにフォトセンサー全てを動作させなくてもいい場合について記載されているが（特許文献１の第４頁左上欄７〜９行の「第４図におけるセット位置Ａに対するフォトセンサー１のみがオフ状態であることを示すだけでもよい」）、これは、処理効率化、省エネ化という面はあるものの、原稿有無の判別処理に係るものであり、原稿サイズ判定処理に係るものではない。
【０００７】
本発明は、上記課題に鑑みてなされたものであり、検出対象の原稿サイズに優先順位を付けることで、高効率かつ省エネな原稿サイズ検出処理が可能な原稿サイズ検出装置の提供を目的とする。
【０００８】
さらに、本発明は、上記原稿サイズ検出装置を備えた原稿読取装置および該原稿読取装置を備えた画像形成装置の提供をも目的としている。
【課題を解決するための手段】
【０００９】
上記目的を達成するために、本発明は、原稿台に複数の原稿サイズ検出センサーが原稿サイズに応じて配置され、各原稿サイズ検出センサーの検出信号に基づいて原稿台上に載置された原稿のサイズを検出する原稿サイズ検出装置において、複数の原稿サイズのうち、特定サイズの原稿の検出処理から順次異なるサイズの原稿の検出処理を行うよう、前記特定の原稿サイズに対応した原稿サイズ検出センサーのみを駆動制御する原稿サイズ検出動作制御部と、前記動作した原稿サイズ検出センサーからの信号に基づいて原稿の有無を判定し、予め記憶された原稿サイズ検出センサーのオン／オフパターンから原稿台上に載置された原稿のサイズを判別する原稿サイズ判定部とを備えたことを特徴とする。
【００１０】
つまり、原稿検出処理を行うにあたって、原稿検出処理に必要なセンサーのうち、まず、最初に特定サイズ（例：Ａ４、Ａ３）の検出に必要なセンサーのみを動作させる。該センサーによる検出処理によって原稿サイズが検出できたときには検出処理を終了し、検出できないときには上記特定サイズ以外のサイズの検出に対応するセンサーを動作させ、改めて検出処理を行う。
【００１１】
この場合、原稿サイズ検出動作制御部は、次の動作を行うことができる。すなわち、原稿サイズ検出動作制御部は、予め設定された優先順位に基づいて特定サイズの原稿に対応した原稿サイズ検出センサーから動作させる。この場合、使用頻度の高い原稿サイズに対応した原稿サイズ検出センサーを最優先に動作させる。さらに、使用頻度の高い原稿サイズに対応した原稿サイズ検出センサーを最優先に動作させる検出処理の次に、原稿サイズの大きいものに対応した原稿サイズ検出センサーから動作させる。
【００１２】
これらの検出処理により、使用頻度が高い原稿サイズを検出することで、効率的となり、制御部を構成するＣＰＵのリソース、および消費電力を有効に活用することができる。
【００１３】
なお、この種の原稿サイズ検出装置は、スキャナ装置である原稿読取装置、あるいは、原稿読取装置を備えたファクシミリ装置、複写機、さらにはこれらの複合機など、画像形成装置に適用することができる。
【発明の効果】
【００１４】
以上のとおり、本発明は、複数の原稿検出センサーの中から、特定の原稿サイズの検出対象に対応する原稿検出センサーのみを動作させるよう検出対象の原稿サイズに優先順位を設けることで、高効率かつ省エネな原稿サイズ検出処理が可能な原稿サイズ検出装置を提供することができる。
【図面の簡単な説明】
【００１５】
【図１】本発明に係る原稿サイズ検出装置を搭載した画像処理装置の概略構成を示す図である。
【図２】同じく画像処理装置の斜視図である。
【図３】操作パネルを示す図である。
【図４】画像処理装置のスキャナ部およびプリント部の機構を示す構成図である。
【図５】原稿サイズを検出するための原稿サイズ検出センサーの配置を示す図である。
【図６】原稿サイズ検出処理ブロック図である。
【図７】原稿サイズ検出処理を示すフローチャートである。
【図８】原稿サイズ検出用の管理テーブルを示す。
【発明を実施するための形態】
【００１６】
本実施形態の画像処理装置を図１、図２に示す。本画像処理装置は、コピーモード、プリントモード、スキャナモードおよびファクシミリモードを実行するＭＦＰであり、キャビネット１に、原稿を読み取って画像データを入力するスキャナ部２と、画像データを処理する画像データ処理部３と、認証情報等の入力された情報を処理する情報処理部４とを備えている。
【００１７】
画像データ処理部３は、入力された画像データの編集、記憶、出力処理を行う画像処理部５と、ネットワークを介してデータ通信を行うネットワーク通信部７と、画像データを印刷して出力するプリント部８と、装置全体の制御情報や設定情報等を記憶している管理部９と、装置全体の制御を司る機器制御部１０とを有する。画像処理部５は、画像データを保存するハードディスク装置およびメモリを備えている。
【００１８】
情報処理部４は、入力操作用の操作部１１と、操作画面を表示する表示部１２と、ＵＳＢ機器やＩＣカード等の携帯端末機器と通信を行うインターフェース部１３と、認証情報等の情報を記憶するメモリ１４と、入力された操作情報や認証情報の処理を行う制御部１５とを有する。インターフェース部１３による通信は、有線に限らず無線であってもよい。
【００１９】
操作部１１および表示部１２は、図３に示すように、操作パネル１６に設けられる。操作部１１は、各種の操作キーを備えている。表示部１２は、液晶ディスプレイからなり、タッチパネルとされる。表示部１２に表示される操作画面内にタッチキーが形成され、これらも操作キーとして機能する。
【００２０】
そして、複数の画像処理装置が、ＬＡＮ、ＷＡＮといったネットワークに接続されている。ネットワークには、複数の外部装置が接続されている。外部装置としては、パーソナルコンピュータ等の情報処理装置やサーバとされる。ネットワークは、ルータから電話回線や光ファイバ等の通信回線を介してインターネットに接続される。画像処理装置１のネットワーク通信部は、外部装置とネットワークを通じて所定の通信プロトコルによって通信可能とされる。また、画像処理装置同士も通信可能とされる。なお、ネットワーク内での通信は有線でも無線でもよい。これらの画像処理装置および外部装置によって、画像処理システムが形成される。
【００２１】
また、画像処理装置は、モデム装置を有し、モデム装置に電話回線が接続される。画像処理装置１は、ファクシミリ通信を行える。さらに、画像処理装置および外部装置は、ネットワークを通じてインターネットファクシミリによるデータ通信も行える。
【００２２】
機器制御部１０は、ＣＰＵ、ＲＯＭ、ＲＡＭを有するマイクロコンピュータからなる。そして、機器制御部１０は、画像データの入力があると、操作部１１からの入力情報や外部装置から入力された画像データのヘッダ情報に含まれる処理条件に基づいてプリントモード、コピーモード、スキャナモード、ファクシミリモードのいずれかの処理を実行する。
【００２３】
画像データは、スキャナ部２において、原稿を読み取ることにより入力される。スキャナ部は、原稿の画像データを入力する入力部として機能する。また、画像データは、外部装置からネットワーク６を通じて画像処理装置に送信される。ネットワーク通信部７が、画像データを受信して入力する。ファクシミリによる受信の場合は、モデム装置が画像データを入力する。このように、ネットワーク通信部およびモデム装置は、画像データを入力する入力手段として機能する。
【００２４】
プリントモードやコピーモードでは、画像処理部５において画像データの画像処理を行ってから、プリント部８により記録用紙に画像を印刷する。スキャナモードでは、画像データをハードディスク装置に記憶し、外部装置からの呼び出しによってネットワーク通信部７を通じて画像データを外部装置に送信する。ファクシミリモードでは、モデム装置を通じて画像データをファクシミリ装置に送信する。このように、プリント部、ネットワーク通信部およびモデム装置は、画像データを出力する出力手段として機能する。
【００２５】
ここで、本画像処理装置のスキャナ部２およびプリント部８について説明する。図４に示すように、スキャナ部２は、原稿搬送装置２０を備えている。原稿搬送装置２０は、原稿の画像データを読み取るために原稿を自動的に搬送する。原稿搬送装置２０は、キャビネット１の上方に配置される。キャビネット１の上面に、プラテンガラスからなる原稿台２１が設けられ、原稿台２１を覆う原稿カバー２２が設けられる。原稿搬送装置２０は、原稿カバー２２に一体的に搭載される。
【００２６】
原稿カバー２２は、開閉自在とされ、原稿カバー２２が閉状態のとき、原稿搬送装置２０によって原稿が搬送される。原稿カバー２２が開状態のとき、原稿を原稿台２１に載置できる。原稿カバー２２の開閉を検出するカバー開閉センサー２３が設けられ、原稿カバー２２の開状態あるいは閉状態が検出される。
【００２７】
また、原稿台２１に載置された原稿のサイズを検出する原稿サイズ検出センサー２４が設けられている。図５に示すように、複数の原稿サイズ検出センサー２４が、原稿台２１の周縁に沿って、原稿台２１の下方に配置される。図５は原稿台を上側から見たときの原稿検出センサー２４の配置関係を示す図である。
【００２８】
各原稿サイズ検出センサー２４は、原稿サイズに応じた位置（□の囲み数字１〜６：以下、多くの場合、□の囲みを省略して、単に「センサー１」〜「センサー６」という。）にそれぞれ配置される。原稿サイズ検出センサー２４は、発光素子と受光素子とを１組として構成され、発光素子から照射された光が原稿により反射し、その反射光を受光素子で受けることにより、原稿の存在を検出するようになっている。いずれのセンサー１〜６も、各サイズの原稿の端部付近に配置される。
【００２９】
原稿サイズ検出センサー２４のうち、センサー１，２，３は、原稿台２１の副走査方向に配置され、原稿の長さを検出するようになっている。原稿サイズ検出センサー２４のうち、センサー４，５，６は、原稿台２１の主走査方向に配置され、原稿の幅を検出するようになっている。各センサー１〜６は、これらのセンサー１〜６の組み合わせにより、Ａ５、Ａ４、Ａ４Ｒ、Ａ３、Ｂ５、Ｂ５Ｒ、Ｂ４の７種類の原稿サイズを検出できるようになっている。
【００３０】
各原稿サイズ検出センサー２４の検出信号に応じて、機器制御部１０は、原稿サイズ検出センサー２４を所定のシーケンスに基づいて駆動制御し、原稿サイズを検出判断する。
【００３１】
すなわち、機器制御部１０は、図６に示すように、予め定められたプログラムに従い、特定のサイズの原稿の検出処理から順次異なるサイズの検出処理を行うよう、原稿検出センサー１〜６の駆動・停止順序を決定し制御する原稿サイズ検出動作制御部１０１と、原稿検出センサー１〜６のうち駆動されたセンサー受光部から入力された信号により原稿の有無を検出し、その受光信号から原稿の有無を判定して原稿サイズを判別する原稿サイズ判定部１０２とを備えている。
【００３２】
原稿サイズ検出動作制御部１０１では、複数の原稿検出センサー１〜６の中から、第１の特定の原稿サイズの検出対象に対応する原稿検出センサーのみを動作させる。該センサーによる検出処理は、原稿サイズ判定部１０２に送られ、該判定部１０２によって原稿サイズが判定できたときには検出処理を終了する。原稿サイズ判定部１０２では、図８に示す管理テーブルに基づいて、原稿サイズを判定する。図８の管理テーブルにおいて「○」は原稿を検出することができたＯＮ状態を、「×」は原稿を検出することができなかったＯＦＦ状態をそれぞれ示す。
【００３３】
原稿サイズ判定部１０２において、原稿サイズが検出できないときには、原稿サイズ判定部１０２から原稿サイズ検出動作制御部１０１に次の検出処理を促す信号が出力され、この信号を受けて、原稿サイズ検出動作制御部１０１では、上記第１の特定サイズ以外の第２の特定原稿サイズの検出対象に対応する原稿検出センサー２４を動作させ、改めて原稿サイズ検出処理を行う。この検出処理を繰り返し、検出対象原稿が検出されるまで検出処理が繰り返し行われる。所定のシーケンス制御において、対象原稿が検出されなければ、原稿サイズ判定部１０２では、「原稿なし」と判定する。つまり、原稿サイズ検出センサー２４を利用して、原稿台２１上の原稿の有無も検出できる。
【００３４】
原稿サイズ検出処理の優先順位は、原稿の使用頻度の高いサイズを最優先する。例えば、多くの場合、Ａ４サイズの原稿の使用頻度が高いので、Ａ４サイズを最優先してサイズの検出処理を行う。
【００３５】
次に、使用頻度の高いサイズを最優先したことを基準に、ＣＰＵのリソース並びに検出処理に要する消費電力を考慮して、サイズ検出処理が省力化できる順に原稿サイズ検出処理を行う。例えば、原稿サイズの大きいものから、ほぼ検出処理を行う。具体的には、ＡＢ系において、２つの検出処理ステップで「Ａ３」サイズ、３つの検出処理ステップで「Ｂ４」サイズ、「Ａ４Ｒ」サイズおよび「Ｂ５」サイズ、４つの検出処理ステップで「Ｂ５Ｒ」、５つの検出処理ステップで「Ａ５」サイズをそれぞれ検出処理している。
【００３６】
原稿サイズ判定部１０２によって判定された原稿サイズデータは、機器制御部１０に送られる。機器制御部１０では、原稿サイズデータと後述する原稿読取画像データとを関連付けて各種画像処理に活用する。
【００３７】
また、原稿が原稿搬送装置２０の原稿セットトレイ３０にセットされると、原稿検出センサー３１が原稿をセットされたことを検出する。すなわち、原稿検出センサー３１は、原稿搬送装置２０における原稿の有無を検出する。
【００３８】
そして、操作パネル１６において、記録用紙のサイズおよび変倍率等のコピー条件が入力される。その後、スタートキーの入力操作により、コピーが開始される。
【００３９】
原稿搬送装置２０において、ピックアップローラ３２により原稿セットトレイ３０上の各原稿が１枚ずつ引き出される。原稿は、捌き板３３と搬送ローラ３４間を通って、原稿台２１に送り出される。原稿は、原稿台２１上で副走査方向に搬送され、原稿排出トレイ３５に排出される。原稿排出トレイ３５には、原稿排出センサー３６が設けられ、原稿排出トレイ３５上の原稿の有無が検出される。なお、図２、４において、原稿排出トレイ３５の位置が異なるが、いずれにあってもよく、機種によって原稿排出トレイ３５の位置が決められる。
【００４０】
原稿台２１の一側に、読取領域が形成され、原稿が原稿台２１を搬送されるとき、読取領域を通過する。読取領域の下方には、第１読取部３７の第１走査ユニット３８が位置して、原稿の表面（下側面）が読み取られる。
【００４１】
原稿搬送装置２０によって原稿が原稿台２１に搬送されるとき、第１走査ユニット３８は読取位置に移動して位置決めされ、第２走査ユニット３９も所定位置に位置決めされる。第１走査ユニット３８の露光ランプにより、原稿の表面が原稿台２１の下方から照射される。原稿からの反射光は、第１、第２走査ユニット３８、３９の各反射ミラーにより結像レンズ４０に導かれる。原稿の反射光は、結像レンズ４０によりＣＣＤ（Charge Coupled Device）４１に集光される。原稿の表面の画像がＣＣＤ４１上に結像される。これにより、搬送される原稿の表面の画像が読み取られる。
【００４２】
また、第２読取部２２によって、原稿の裏面（上側面）が読み取られる。第２読取部４２は、原稿台２１の上方に配置され、原稿の裏面を照射するＬＥＤ、蛍光灯等を有する露光ランプアレイ、画素毎に原稿の反射光を集光するセルフォックレンズアレイ、セルフォックレンズアレイを通じて受光した原稿からの反射光を光電変換して、アナログの画像信号を出力する密着イメージセンサー（CIS；Contact Image Sensor）等を備えている。これにより、搬送される原稿の裏面の画像が読み取られる。
【００４３】
原稿台２１に原稿を載置したとき、第１読取部３７により原稿の表面の画像が読み取られる。第１、第２走査ユニット３８、３９は相互に所定の速度関係を維持しつつ副走査方向に移動する。第１走査ユニット３８によって、原稿台２１上の原稿が露光され、第１、第２走査ユニット３８、３９によって、原稿からの反射光が結像レンズ４０に導かれる。結像レンズ４０によって、原稿の画像がＣＣＤ４１上に結像される。
【００４４】
このようにして、原稿の片面もしくは両面が読み取られると、原稿の片面もしくは両面の画像データが画像データ処理部３に入力される。ここで、画像処理部５は、画像データに各種の画像処理を施す。この画像データがプリント部８に出力される。
【００４５】
プリント部８は、画像データに基づいて原稿の画像を記録用紙に印刷する。プリント部８は、感光体ドラム５０、帯電装置５１、レーザスキャンユニット５２、現像装置５３、転写装置５４、クリーニング装置５５、除電装置（図示せず）、定着装置５６等を備えている。また、記録用紙を供給して搬送するために、給紙部６０、用紙搬送装置６１および排紙処理装置６２を備えている。
【００４６】
用紙搬送装置６１には、主搬送路６３および反転搬送路６４が形成されており、給紙部６０から供給された記録用紙は主搬送路６３に沿って搬送される。給紙部６０は、用紙カセット６５に収納された記録用紙または手差トレイ６６に載置された記録用紙を１枚ずつ引き出して、主搬送路６３に送り出す。
【００４７】
主搬送路６３に沿って感光体ドラム５０、定着装置５６が配置され、転写装置５４が主搬送路６３を挟んで感光体ドラム５０と対向配置される。記録用紙は、感光体ドラム５０と転写装置５４との間を通過し、定着装置５６を通過する。この通過中に、記録用紙に画像が印刷される。
【００４８】
感光体ドラム５０は、一方向に回転しており、クリーニング装置５５および除電装置は、感光体ドラム５０の表面を除電し、クリーニングする。帯電装置５１は、感光体ドラム５０の表面均一に帯電する。レーザスキャンユニット５２は、スキャナ部２からの画像データに基づいてレーザ光を変調し、このレーザ光によって感光体ドラム５０表面を主走査方向に繰り返し走査して、静電潜像を感光体ドラム５０表面に形成する。現像装置５３は、トナーを感光体ドラム５０表面に供給して、静電潜像を現像し、トナー像を感光体ドラム５０表面に形成する。転写装置５４は、記録用紙に感光体ドラム５０表面のトナー像を転写する。定着装置５６は、記録用紙を加熱および加圧して、記録用紙上のトナー像を定着する。
【００４９】
主搬送路６３と反転搬送路６４の接続位置には、分岐爪６７が配設されている。分岐爪６７は回転自在とされ、その姿勢が切り替えられる。記録用紙の片面だけに印刷が行われる場合は、分岐爪６７が搬送姿勢に切り替えられ、この分岐爪６７により定着装置５６からの記録用紙が排紙トレイ６８あるいは排紙処理装置６２に導かれる。記録用紙の両面に印刷が行われる場合は、分岐爪６７が反転姿勢に切り替えられ、記録用紙が反転搬送路６４に導かれる。そして、記録用紙は、反転搬送路６４を通過して、その表裏を反転されて主搬送路６３に再び搬送される。この搬送中に、記録用紙の裏面に印刷が行われる。
【００５０】
画像が印刷された記録用紙は、主搬送路６３から排紙トレイ６８に排出される。あるいは、排紙処理装置６２の各排紙トレイ６９のいずれかに排出される。
【００５１】
排紙処理装置６２では、複数の記録用紙を各排紙トレイ６９に仕分けして排出する、各記録用紙にパンチング処理を施す、各記録用紙にステープル処理を施すといった、いずれかの後処理を行う。例えば、複数部の印刷物を作成する場合は、各排紙トレイ６９に印刷物の一部ずつが割り当てられるように、各記録用紙を各排紙トレイ６９に仕分けして排出する。排紙トレイ６９毎に、排紙トレイ６９上に積載された記録用紙にパンチング処理やステープル処理を施して、印刷物を作成する。
【００５２】
次に、原稿台２１に原稿を載置したときの原稿サイズ検出センサー２４による原稿サイズ検出処理を図７に基づいて説明する。まず、原稿サイズ検出動作制御部１０１により、センサー６を動作させ（Ｓ１）、原稿台２１に載置された原稿の検出を行なう（Ｓ２）。センサー６の原稿検出の結果、検出結果がＯＮの場合、センサー６の動作を停止して、次に、センサー３を起動して（Ｓ３）、原稿の有無を検出する（Ｓ４）。
【００５３】
また、ステップＳ２でセンサー６の検出結果がＯＦＦの場合、センサー６の動作を停止して、次に、センサー２を動作させ（Ｓ５）、センサー２による原稿検出を行う（Ｓ６）。この検出結果によって、原稿検出サイズセンサー２４の検出順番が更に２つのルートに分かれる。第１のルートでは、センサー２の検出結果がＯＮの場合、センサー２の動作を一旦停止した後、センサー３を動作させ（Ｓ７）、その検出結果により原稿サイズを判断する（Ｓ８）。
【００５４】
第２のルートでは、センサー２の検出結果がＯＦＦの場合、センサー２の動作を一旦停止した後、センサー５を動作させ（Ｓ９）、その検出結果により原稿サイズを判断する（Ｓ１０）。
【００５５】
センサー５の検出結果がＯＦＦの場合、センサー５の動作を停止した後、センサー１を動作させ（Ｓ１１）、その検出結果により原稿サイズを判断する（Ｓ１２）。センサー１の検出結果がＯＦＦの場合、センサー１の動作を停止した後、センサー４を動作させ（Ｓ１３）、その検出結果により原稿サイズを判断する（Ｓ１４）。このような、原稿サイズ検出センサー２４の動作により、１回の原稿サイズ検出動作サイクルが終了する。
【００５６】
上記の原稿サイズセンサー２４の動作サイクルに基づいて、それぞれの原稿サイズが検出される。
【００５７】
（Ａ４原稿の検出動作）
センサー６を起動し（Ｓ１）、センサー６により「原稿あり」（ＯＮ）という状態を検出し、これを機器制御部１０（ＣＰＵ）の原稿サイズ判定部に送る。その基準で、機器制御部１０のＣＰＵが原稿サイズ検出動作制御部として機能し、センサー２を動作させる（Ｓ３）。このとき、センサー２の動作により、「原稿なし」というＯＦＦ状態も原稿サイズ判定部（ＣＰＵ）に送られ、Ａ４原稿であることを判定できる。この２つのセンサー２，６の検出状態により、Ａ４の原稿が原稿台２１にあることが分かる。
【００５８】
（Ａ３原稿の検出動作）
まず、センサー６を動作させ（Ｓ１）、原稿の有無を判定する（Ｓ２）。ここで、「原稿あり」のＯＮ状態を検出した場合、センサー３を動作させ（Ｓ３）、原稿の有無を判定する（Ｓ４）。「原稿なし」のＯＮ状態を検出したならば、原稿サイズ判定部では、Ａ３原稿であることを判定できる。この２つのステージの検出状態により、Ａ３原稿が原稿台２１にあることが分かる。
【００５９】
（Ａ４Ｒ原稿の検出動作）
センサー６が動作し（Ｓ１）、原稿の有無を判定する（Ｓ２）。ここで、「原稿なし」のＯＦＦ状態を検出した場合、センサー２を動作させ（Ｓ５）、原稿の有無を判定する（Ｓ６）。センサー２が「原稿あり」のＯＮ状態を検出した場合、次に、センサー３を動作させ（Ｓ７）、原稿の有無を判定する（Ｓ８）。この判定結果で、「原稿なし」のＯＦＦ状態を検出した場合、原稿サイズ判定部では、図８の管理テーブルより、Ａ４Ｒ原稿であると判定する。この３つのステージの検出状態により、Ａ４Ｒ原稿が原稿台２１にあることが分かる。
【００６０】
（Ｂ４原稿の検出動作）
センサー６が動作し（Ｓ１）、原稿の有無を判定する（Ｓ２）。ここで、「原稿なし」のＯＦＦ状態を検出した場合、センサー２を動作させ、原稿の有無を判定する（Ｓ６）。センサー２が「原稿あり」のＯＮ状態を検出した場合、次に、センサー３を動作させ（Ｓ７）、原稿の有無を判定する（Ｓ８）。この判定結果で、「原稿あり」のＯＮ状態を検出した場合、原稿サイズ判定部では、図８の管理テーブルより、Ｂ４原稿であると判定する。この３つのステージの検出状態により、Ｂ４原稿が原稿台２１にあることが分かる。
【００６１】
（Ｂ５原稿の検出動作）
センサー６が動作し（Ｓ１）、原稿の有無を判定する（Ｓ２）。ここで、「原稿なし」のＯＦＦ状態を検出した場合、センサー２を動作させ、原稿の有無を判定する（Ｓ６）。センサー２が「原稿なし」のＯＦＦ状態を検出した場合、次に、センサー５を動作させ（Ｓ９）、原稿の有無を判定する（Ｓ１０）。この判定結果で、「原稿あり」のＯＮ状態を検出した場合、原稿サイズ判定部では、図８の管理テーブルより、Ｂ５サイズの原稿であると判定する。この３つのステージの検出状態により、Ｂ５サイズの原稿が原稿台２１にあることが分かる。
【００６２】
（Ｂ５Ｒ原稿の検出動作）
センサー６が動作し（Ｓ１）、原稿の有無を判定する（Ｓ２）。ここで、「原稿なし」のＯＦＦ状態を検出した場合、センサー２を動作させ、原稿の有無を判定する（Ｓ６）。センサー２が「原稿なし」のＯＦＦ状態を検出した場合、次に、センサー５を動作させ（Ｓ９）、原稿の有無を判定する（Ｓ１０）。この判定結果で、「原稿なし」のＯＦＦ状態を検出した場合、次に、センサー１を動作させ（Ｓ１１）、原稿の有無を判定する（Ｓ１２）。この判定結果で、「原稿あり」のＯＮ状態を検出した場合、原稿サイズ判定部では、図８の管理テーブルより、Ｂ５Ｒサイズの原稿であると判定する。この４つのステージの検出状態により、Ｂ５Ｒサイズの原稿が原稿台２１にあることが分かる。
【００６３】
（Ａ５原稿の検出動作）
センサー６が動作し（Ｓ１）、原稿の有無を判定する（Ｓ２）。ここで、「原稿なし」のＯＦＦ状態を検出した場合、センサー２を動作させ、原稿の有無を判定する（Ｓ６）。センサー２が「原稿なし」のＯＦＦ状態を検出した場合、次に、センサー５を動作させ（Ｓ９）、原稿の有無を判定する（Ｓ１０）。この判定結果で、「原稿なし」のＯＦＦ状態を検出した場合、次に、センサー１を動作させ（Ｓ１１）、原稿の有無を判定する（Ｓ１２）。この判定結果で、「原稿なし」のＯＦＦ状態を検出した場合、次に、センサー４を動作させ（Ｓ１３）、原稿の有無を判定する（Ｓ１４）。この判定結果で、「原稿あり」のＯＮ状態を検出した場合、原稿サイズ判定部では、図８の管理テーブルより、Ａ５サイズの原稿であると判定する。この５つのステージの検出状態により、Ａ５サイズの原稿が原稿台２１にあることが分かる。
【００６４】
（紙なし状態の検出動作）
センサー６が動作し（Ｓ１）、原稿の有無を判定する（Ｓ２）。ここで、「原稿なし」のＯＦＦ状態を検出した場合、センサー２を動作させ、原稿の有無を判定する（Ｓ６）。センサー２が「原稿なし」のＯＦＦ状態を検出した場合、次に、センサー５を動作させ（Ｓ９）、原稿の有無を判定する（Ｓ１０）。この判定結果で、「原稿なし」のＯＦＦ状態を検出した場合、次に、センサー１を動作させ（Ｓ１１）、原稿の有無を判定する（Ｓ１２）。この判定結果で、「原稿なし」のＯＦＦ状態を検出した場合、次に、センサー４を動作させ（Ｓ１３）、原稿の有無を判定する（Ｓ１４）。この判定結果で、「原稿なし」のＯＦＦ状態を検出した場合、原稿サイズ判定部では、図８の管理テーブルより、「原稿なし」であると判定する。この５つのステージの検出状態により、どんな原稿も原稿台２１にないことが分かる。
【００６５】
なお、本発明は、上記実施形態に限定されるものではなく、本発明の範囲内で多くの修正変更を加えることができるのは勿論である。
【００６６】
例えば、上記実施形態では、原稿台２１における原稿サイズの検出動作について説明したが、原稿搬送装置２０において、上記実施形態の原稿台２１に相当する原稿セットトレイ３０上に複数の原稿検出センサー２４を配置し、そのセンサーの中から所定の原稿サイズに対応する原稿検出センサーのみを駆動し、特定の原稿サイズごとに原稿サイズ検出処理を行うように設定することもできる。この場合、上記実施形態では、原稿台２１の左上隅を基準に原稿サイズを検出しているが、原稿搬送装置２０においては、主走査方向の中心位置を基準にする場合が多いため、この基準に合わせて原稿検出センサー２４を配置すればよい。
【００６７】
また、原稿搬送装置２０においては、左右幅を規制する規制板（図示略）が主走査方向に移動自在に設置されているので、原稿検出センサー２４は、原稿セットトレイに載置する原稿の有無を検出する代わりに、規制板の位置を検出することで、少なくとも原稿の幅方向（主走査方向）のサイズを検出することができる。
【００６８】
また、原稿サイズ検出センサーの数は検出する原稿サイズの数に合わせて設定すればよく、また、検出するサイズは上記実施形態のＡＢ系に限定されるものではなく、各種サイズに合わせてセンサーの配置を変更することができる。
【００６９】
なお、本発明の原稿サイズ検出装置は、スキャナ装置である原稿読取装置、あるいは、原稿読取装置を備えたファクシミリ装置、複写機、さらにはこれらの複合機など、画像形成装置に適用することができる。
【符号の説明】
【００７０】
２ スキャナ部
３ 画像データ処理部
４ 情報処理部
８ プリント部
１０ 機器制御部
１１ 操作部
１２ 表示部
２０ 原稿搬送装置
２１ 原稿台
２２ 原稿カバー
２３ カバー開閉センサー
２４ 原稿サイズ検出センサー
３１ 原稿検出センサー
３５ 原稿排出トレイ
３６ 原稿排出センサー
１０１  原稿サイズ検出動作制御部
１０２  原稿サイズ判定部
【図１】
2010268197.tif 000003
【図２】
2010268197.tif 000004
【図３】
2010268197.tif 000005
【図４】
2010268197.tif 000006
【図５】
2010268197.tif 000007
【図６】
2010268197.tif 000008
【図７】
2010268197.tif 000009
【図８】
2010268197.tif 000010